(57)【要約】      （修正有）【課題】吸引時と注入時にフィルター付注射針と注射針を付け替える必要がなく、薬液の輸液剤等への注入作業を簡便かつ安全にできる注射針を提供すること。【解決手段】注入流路（１３）には、前方から後方に亘って、順次、第一ボール支持部（６）、ボール（７）、第二ボール支持部（８）、フィルタ（９）を配置し、吸引流路（１４）には、前方から後方に亘って、順次、第二ボール支持部（８）、ボール（７）、第一ボール支持部（６）を配置し、前記第一ボール支持部（６）は、液体は通過するが、ボール（７）が通過できず、かつボール（７）で塞ぐことのできない孔を形成し、前記第二ボール支持部（８）は、液体は通過するが、ボール（７）が通過できず、かつボール（７）により塞ぐことのできる孔を形成した注射針（１）。【選択図】図１
0003118219.tif 000002
【実用新案登録請求の範囲】
【請求項１】
針基（３）の前方に針管（２）を植設し、
前記針基（３）は、内腔の略中央に、前方から後方に亘って、仕切り板（１０）を配置し、
当該仕切り板（１０）は、針基（３）の内腔を注入流路（１３）と吸引流路（１４）に分割し、
前記注入流路（１３）には、前方から後方に亘って、順次、第一ボール支持部（６）、ボール（７）、第二ボール支持部（８）、フィルタ（９）を配置し、
前記吸引流路（１４）には、前方から後方に亘って、順次、第二ボール支持部（８）、ボール（７）、第一ボール支持部（６）を配置し、
前記第一ボール支持部（６）は、液体は通過するが、ボール（７）が通過できず、かつボール（７）で塞ぐことのできない孔（１１）を形成し、
前記第二ボール支持部（８）は、液体は通過するが、ボール（７）が通過できず、かつボール（７）により塞ぐことのできる孔（１２）を形成したことを特徴とする注射針（１）。
【請求項２】
シリンジ（４）内に液体を吸引する際に、注入流路（１３）では、ボール（７）が液体に押されて第二ボール支持部（８）の孔（１２）を塞ぐことにより、液体がシリンジ（４）方向へ流れるのを阻止し、吸引流路（１４）では、ボール（７）が液体に押されて第一ボール支持部（６）に接触し、第二ボール支持部（８）の孔（１２）を開放することにより、液体がシリンジ（４）方向に流れるのを許容し、
シリンジ（４）内から液体を注入する際に、吸引流路（１４）では、ボール（７）が薬液に押されて第二ボール支持部（８）の孔（１２）を塞ぐことにより、液体が針管（２）方向へ流れるのを阻止し、注入流路（１３）では、ボール（７）が薬液に押されて第一ボール支持部（６）に接触し、第二ボール支持部（８）の孔（１２）を開放することにより、液体が針管（２）方向に流れるのを許容することを特徴とする請求項１記載の注射針（１）。
【請求項３】
針基（５３）の前方に針管（５２）を植設し、
前記針基（５３）は、内腔の略中央に、前方から後方に亘って、仕切り板（６０）を配置し、
前記仕切り板（６０）は、針基（５３）の内腔を注入流路（６３）と吸引流路（６４）に分割し、
前記注入流路（６３）は、前方から後方に亘って、順次、フィルタ（５９）、前方支持部（５８）、前方弾性体（５６Ａ）、中央支持部（６１）を配置し、
前記吸引流路（６４）は、前方から後方に亘って、順次、後方弾性体（５６）、後方支持部（５７）を配置したことを特徴とする注射針（５１）。
【請求項４】
シリンジ（５４）内に液体を吸引する際に、注入流路（６３）では、前方弾性体（５６Ａ）の上端部が液体に押されて中央支持部（６１）に接触することにより、液体がシリンジ（５４）方向に流れるのを阻止し、吸引流路（６４）では、後方弾性体（５６）の下端部が、液体に押されてシリンジ（５４）方向に変形することにより、液体がシリンジ（５４）方向に流れるのを許容し、
シリンジ（５４）内の液体を注入する際に、吸引流路（６４）では、後方弾性体（５６）の下端部が液体に押されて中央支持部（６１）に接触することにより、液体が針管（５２）方向に流れるのを阻止し、
注入流路（６３）では、前方弾性体（５６Ａ）の上端部が、液体に押されて針管（５２）方向に変形することにより、液体が針管（５２）方向に流れるのを許容する、ことを特徴とする請求項３記載の注射針（５１）。
【考案の詳細な説明】
【技術分野】
【０００１】
本考案は、フィルタ付き注射針の改良に関する。
【背景技術】
【０００２】
医療現場では、例えばガラス製アンプル内の薬液を、注射針で吸引採取し、生理食塩液や輸液剤に注入する作業が行なわれている。アンプルをカッター等で開封する際に、アンプル内の薬液中に、切屑（ガラス片、微細なものは１０〜２０μｍ程度）や凍結乾燥製剤由来の不溶性微粒子が混入する場合がある。
これらの薬液を、そのまま注射針で吸引採取すると、切り屑（ガラス片）や不溶性微粒子も一緒に、生理食塩液や輸液剤に混入される虞がある。
これらの問題を解決するために、特許文献１のように、フィルタ付き注射針の考案が開示されている。当該考案は、針基内にフィルタが動かないように固定し、針管からシリンジ内に、薬液を吸引する際に、薬液中の異物が吸引されるのを阻止している。
【０００３】
しかしながら、当該考案では薬液を吸引採取する際にフィルタ膜でろ過するため、薬液を注入する際に外さなければフィルタで濾過した異物が輸液剤になどに混入することとなる。さらに、輸液剤の注入の際に通常の注射針を付け注入する必要があるため、付け替えに対する従事者の手間、付け替え時の接触による汚染の可能性と針刺し事故の可能性及びコストが増加する。
【０００４】
【特許文献１】実公昭６１−２５８０５号公報（図２、図３参照）
【考案の開示】
【考案が解決しようとする課題】
【０００５】
本考案が解決しようとする問題点は、針基内に異物阻止用のフィルターを配置するのみでは、薬液吸引採取時と注入時に注射針を付け替える必要がある点である。
【課題を解決するための手段】
【０００６】
［１］本考案は、針基（３）の前方に針管（２）を植設し、
前記針基（３）は、内腔の略中央に、前方から後方に亘って、仕切り板（１０）を配置し、
当該仕切り板（１０）は、針基（３）の内腔を注入流路（１３）と吸引流路（１４）に分割し、
前記注入流路（１３）には、前方から後方に亘って、順次、第一ボール支持部（６）、ボール（７）、第二ボール支持部（８）、フィルタ（９）を配置し、
前記吸引流路（１４）には、前方から後方に亘って、順次、第二ボール支持部（８）、ボール（７）、第一ボール支持部（６）を配置し、
前記第一ボール支持部（６）は、液体は通過するが、ボール（７）が通過できず、かつボール（７）で塞ぐことのできない孔（１１）を形成し、
前記第二ボール支持部（８）は、液体は通過するが、ボール（７）が通過できず、かつボール（７）により塞ぐことのできる孔（１２）を形成した注射針（１）を提供する。
［２］本考案は、シリンジ（４）内に液体を吸引する際に、注入流路（１３）では、ボール（７）が液体に押されて第二ボール支持部（８）の孔（１２）を塞ぐことにより、液体がシリンジ（４）方向へ流れるのを阻止し、吸引流路（１４）では、ボール（７）が液体に押されて第一ボール支持部（６）に接触し、第二ボール支持部（８）の孔（１２）を開放することにより、液体がシリンジ（４）方向に流れるのを許容し、
シリンジ（４）内から液体を注入する際に、吸引流路（１４）では、ボール（７）が薬液に押されて第二ボール支持部（８）の孔（１２）を塞ぐことにより、液体が針管（２）方向へ流れるのを阻止し、注入流路（１３）では、ボール（７）が薬液に押されて第一ボール支持部（６）に接触し、第二ボール支持部（８）の孔（１２）を開放することにより、液体が針管（２）方向に流れるのを許容する［１］記載の注射針（１）を提供する。
［３］本考案は、針基（５３）の前方に針管（５２）を植設し、
前記針基（５３）は、内腔の略中央に、前方から後方に亘って、仕切り板（６０）を配置し、
前記仕切り板（６０）は、針基（５３）の内腔を注入流路（６３）と吸引流路（６４）に分割し、
前記注入流路（６３）は、前方から後方に亘って、順次、フィルタ（５９）、前方支持部（５８）、前方弾性体（５６Ａ）、中央支持部（６１）を配置し、
前記吸引流路（６４）は、前方から後方に亘って、順次、後方弾性体（５６）、後方支持部（５７）を配置した注射針（５１）を提供する。
［４］本考案は、シリンジ（５４）内に液体を吸引する際に、注入流路（６３）では、前方弾性体（５６Ａ）の上端部が液体に押されて中央支持部（６１）に接触することにより、液体がシリンジ（５４）方向に流れるのを阻止し、吸引流路（６４）では、後方弾性体（５６）の下端部が、液体に押されてシリンジ（５４）方向に変形することにより、液体がシリンジ（５４）方向に流れるのを許容し、
シリンジ（５４）内の液体を注入する際に、吸引流路（６４）では、後方弾性体（５６）の下端部が液体に押されて中央支持部（６１）に接触することにより、液体が針管（５２）方向に流れるのを阻止し、
注入流路（６３）では、前方弾性体（５６Ａ）の上端部が、液体に押されて針管（５２）方向に変形することにより、液体が針管（５２）方向に流れるのを許容する［３］記載の注射針（５１）を提供する。
【考案の効果】
【０００７】
本考案の注射針では、シリンジ内に薬液を吸引するときは異物もシリンジ内に導入されるが、薬液を注入する時は薬液のみがフィルターを通過し異物はフィルターで通過を阻止される。
このため、吸引時と注入時にフィルター付注射針と注射針を付け替える必要がなく、薬液の輸液剤等への注入作業が簡便で安全にでき、しかもコスト削減が期待できる。
【考案を実施するための最良の形態】
【０００８】
図１は本考案の注射針１の一例を示す断面図、図２は注射針１の第一ボール支持部６の実施例を示す正面図、図３は注射針１の第二ボール支持部８の実施例を示す概略図［（ａ）正面図、（ｂ）側面図］、図４は注射針１のフィルタの実施例を示す正面図、図５（ａ）は、本考案注射針１の非使用時における部分断面図、図５（ｂ）は、薬液吸引時における部分断面図、図５（ｃ）は薬液注入時における部分断面図、図６は図１のＡ−Ａ´の断面図である。
注射針１は、針管２と針管を前方２に植設した針基３からなる。
【０００９】
［針基３］
針基３は、図１に例示するように、内腔の略中央に、前方から後方に亘って、仕切り板１０を配置している。仕切り板１０は、針基３の内腔の内周壁面３Ａにインサート成形で固定しても良いし、内周壁面３Ａに溝を形成し溝に嵌合して固定するようにしてもよい。仕切り板１０は、針基３の内腔を略半円状に仕切り、液体（薬液）の流れを注入流路１３と吸引流路１４に分割している。注入流路１３には、前方から後方に亘って、順次、第一ボール支持部６、ボール７、第二ボール支持部８、フィルタ９を配置している。吸引流路１４には、前方から後方に亘って、順次、第二ボール支持部８、ボール７、第一ボール支持部６を配置している。また内周壁面３Ａは、テーパに形成され、シリンジ４のノズル部５のテーパ面に密嵌できるように形成されている。
【００１０】
［第一ボール支持部６］
第一ボール支持部６は図２に例示するように、板状でその断面が略半円状に形成され、液体は通過するが、ボール７が通過できず、かつボール７で塞ぐことのできない孔１１を複数形成している。
すなわち孔１１は、ボール７の直径より小さいため、液体は通過することができるが、ボール７は孔１１を通過することができない。また孔１１は複数形成することにより、ボール７で全ての孔１１を塞ぐことができない。また孔１１は複数ではなく単一でも良い。例えば横がボール７の直径より長く、縦が短いもの（略楕円、略矩形等）であっても良い。外周は、針基３の内周壁面３Ａに隙間なく装着されている。
第一ボール支持部６は、例えば、内周壁面３Ａと仕切り板１０との間にインサート成形しても良いし、内周壁面３Ａ及び仕切り板１０に溝を形成し固定してもよい。第一ボール支持部６は、前記機能を有すれば、どのような形状でもよい。
【００１１】
［第二ボール支持部８］
第二ボール支持部８は図３（ａ）、（ｂ）に例示するように、略漏斗状でその断面が略半円状に形成され、液体は通過するが、ボール７が通過できず、かつボール７により塞ぐことのできる略円形状の孔１２を形成している。
すなわち孔１２は、ボール７の直径より小さいため、液体は通過することができるが、ボール７は孔１２を通過することができない。さらに孔１２は、図３（ｂ）に例示するように漏斗の底に形成されているため、薬液の流れで第二ボール支持部８へボール７が移動する際に、ボール７が孔１２を塞ぎ易くなっている。
外周は、針基３の内周壁面３Ａに隙間なく装着されている。
第二ボール支持部８の取付方向は、注入流路１３では、孔１２がシリンジ４方向になるように装着し、吸引流路１４では、孔１２が針管２方向になるように装着している。
第二ボール支持部８は、例えば、内周壁面３Ａと仕切り板１０との間にインサート成形しても良いし、内周壁面３Ａ及び仕切り板１０に溝を形成し固定してもよい。第二ボール支持部８は、前記機能を有すれば、どのような形状でもよい。
【００１２】
［フィルタ９、５９］
フィルタ９、５９は、図４に例示するように略半円形状に形成され、その外周に支持体１７、６７を接着し、支持体１７、６７を針基３、５３の内周壁面３Ａ、５３Ａと仕切り板１０、６０に隙間なく装着する。仕切り板１０から針基３、５３の内周壁面３Ａ、５３Ａに垂直に配置するよりも、斜めに配置するほうが、フィルタ９、５９のろ過面積をより大きくすることができる。また支持体１７、６７を用いずに略半円状のフィルタ９、５９を直接、針基３、５３の内周壁面３Ａ、５３Ａと仕切り板１０、６０に隙間なく装着してもよい。
【００１３】
次に本考案の注射針１の使用方法の一例について、アンプル内の薬液を、吸引する場合について説明する。
図５（ａ）に例示するように、非使用時は注入流路１３と吸引流路１４のどちらのボール７も、第二ボール支持部８の孔１２を塞ぐことなく、内周壁面３Ａないし仕切り板１０に接触している。
図５（ｂ）に例示するように、シリンジ４内のピストン（図示せず）を引いて、針管２から薬液を矢印のように針基３内に吸引すると、注入流路１３では、ボール７が薬液に押されて第二ボール支持部８の孔１２を塞ぐため、薬液はシリンジ４方向へ流れない。吸引流路１４では、ボール７が薬液に押されて第一ボール支持部６に接触し、第二ボール支持部８の孔１２は開放されている。このため薬液ないし薬液中の異物（ガラス片や不溶性微粒子など）は、第二ボール支持部８の孔１２から第一ボール支持部６の孔１１を経てシリンジ４内に導入される。吸引が終了すると図５（ａ）の状態に戻る。
図５（ｃ）に例示するように、シリンジ４内に吸引した薬液を、ピストン（図示せず）を押して、薬液を矢印のように注入すると、吸引流路１４では、ボール７が薬液に押されて第二ボール支持部８の孔１２を塞ぐために薬液は針管２方向に流れない。注入流路１３では、ボール７が薬液に押されて第一ボール支持部６に接触し、第二ボール支持部８の孔１２は開放されている。薬液はフィルタ９、孔１２から孔１１を経て、針管２を経て注入される。薬液中の異物は、フィルタ９により通過を阻止され、異物は針基３内腔内に留められることになる。
以上のように、シリンジ４内に薬液を吸引するときは、異物はシリンジ４内に導入されるが、注入時には薬液のみがフィルタ９を通過し、異物は、フィルタ９で通過を阻止され、薬液と一緒に注入されない。
【００１４】
図７はその他の実施例を示す本考案の注射針５１の断面図、図８（ａ）は非使用時、図８（ｂ）は薬液吸引時、（ｃ）は薬液注入時における部分断面図、図９は図７のＡ−Ａ´の断面図である。
注射針５１は、針管５２と針管５２を前方に植設した針基５３からなる。
【００１５】
［針基５３］
針基５３は図７に例示するように、内腔の略中央に、前方から後方に亘って、仕切り板６０を配置している。仕切り板６０は、針基５３の内腔の内周壁面５３Ａにインサート成形で固定しても良いし、内周壁面５３Ａに溝を形成し溝に嵌合して固定するようにしてもよい。仕切り板６０は、針基５３の内腔を略半円状に仕切り、薬液の流れを注入流路６３と吸引流路６４に分割している。注入流路６３は、前方から後方に亘って、順次、フィルタ５９、前方支持部５８、前方弾性体５６Ａ、中央支持部６１を配置している。吸引流路６４は、前方から後方に亘って、順次、後方弾性体５６、後方支持部５７を配置している。また内周壁面３Ａは、テーパに形成され、シリンジ５４のノズル５５のテーパ面に密嵌できるように形成されている。
【００１６】
［後方弾性体５６、前方弾性体５６Ａ］
後方弾性体５６、前方弾性体５６Ａは、図９に例示するように、略半円状に形成され、それぞれ針基５３の内周壁面５３Ａと後方支持部５７（前方支持部５８）に装着されている。「装着」とは、後方弾性体５６の下部、前方弾性体５６Ａの上部が針管５２またはシリンジ５４方向へ変形しやすい程度に装着（固定）されていることを意味する。例えば後方弾性体５６、前方弾性体５６Ａは、針基５３の内周壁面５３Ａに、半円周の略十分の一から略二分の一程度の長さで、全部ないし部分的に装着されておれば良く、さらに後方支持部５７（前方支持部５８）の壁面に部分的に装着されておれば良い。
後方弾性体５６、前方弾性体５６Ａは、断面の厚みを大きくすれば、変形した後の復元力（弾性反発力）を大きくすることができる。
【００１７】
［後方支持部５７、前方支持部５８、中央支持部６１］
後方支持部５７、前方支持部５８は、内周壁面５３Ａに突設しており、中央支持部６１は、仕切り板６０の後方端部に注入流路６３方向に向けて突設している。
後方支持部５７は、後方弾性体５６の面に部分的に装着できるものであれば、どのような形状でもよい。前方支持部５８は、前方弾性体５６Ａの面に部分的に装着できるものであれば、どのような形状でも良い。
中央支持部６１は、薬液を吸引する際に、前方弾性体５６Ａの上部（中央支持部６１ないし仕切り板６０に装着されていないほうの端部）がシリンジ５４方向に向けて変形しないように支持し、薬液を注入する際に、後方弾性体５６の下部（内周壁面５３Ａないし後方支持部５７に装着されていないほうの端部）が針管５２方向に変形しないように支持できればどのような形状でもよい。
【００１８】
次に本考案の注射針５１の使用方法の一例について、アンプル内の薬液を、吸収する場合について説明する。
図８（ａ）に例示するように、非使用時では、注入流路６３の前方弾性体５６Ａは、上端部が仕切り板６０ないし中央支持部６１に接触している。吸引流路６４の後方弾性体５６の下端部は、仕切り板６０ないし中央支持部６１に接触している。
図８（ｂ）に例示するように、シリンジ５４内のピストン（図示せず）を引いて、針管５２から薬液を矢印のように、針基５３内に吸引すると、注入流路６３では、前方弾性体５６Ａの上端部が中央支持部６１を押し付けるため、中央支持部６１と前方弾性体５６Ａの間に隙間はない。これにより薬液は、シリンジ５４方向に流れるのを阻止される。吸引流路６４では、後方弾性体５６の下端部が薬液に押されて、シリンジ５４方向へ向けて変形する。この時、図８（ｂ）に例示するように仕切り板６０ないし中央支持部６１と後方弾性体５６下部の間に隙間６５ができる。これにより薬液は、シリンジ５４方向に流れるのを許容される。同時に薬液中の異物もシリンジ５４に導入される。吸引が終了すると後方弾性体５６自身の弾性回復力により、図８（ａ）の状態に戻る。
図８（ｃ）に例示するように、吸引した薬液をシリンジ５４内のピストン（図示せず）を押して、薬液を矢印のように注入すると、吸引流路６４では、後方弾性体５６の下端部が仕切り板６０ないし中央支持部６１を押し付けるため、仕切り板６０ないし中央支持部６１と後方弾性体６０の間に隙間はない。これにより薬液は、針管５２方向に流れるのを阻止される。注入流路６３では、前方弾性体５６Ａの上端部が薬液に押されて、針基５３前方方向へ向けて変形する。この時、図８（ｃ）に例示するように仕切り板６０ないし中央支持部６１と前方弾性体５６Ａの間に隙間６６ができる。これにより薬液は、針管５２方向に流れるのを許容される。すなわち薬液ないし薬液中の異物（ガラス片や不溶性微粒子など）は、隙間６６を通り針基５３の内腔内に導入されるが、異物はフィルタ５９により通過を阻止され、薬液のみがフィルタ５９を通過するため、異物（ガラス片や不溶性微粒子など）は針基５３内腔内に留められることになる。
以上のように、シリンジ５４内に薬液を吸引するときは、異物はシリンジ５４内に導入されるが、注入時には薬液のみがフィルタ５９を通過し、異物はフィルタ５９で通過を阻止され、薬液と一緒に注入されない。
【図面の簡単な説明】
【００１９】
【図１】本考案の注射針１の断面図
【図２】図１の第一ボール支持部の実施例を示す正面図
【図３】図１の第二ボール支持部の実施例を示す概略図［（ａ）正面図、（ｂ）側面図］
【図４】図１のフィルタの実施例を示す正面図
【図５】図１の注射針の（ａ）非使用時、（ｂ）薬液吸引時、（ｃ）薬液注入時における部分断面図
【図６】図１のＡ−Ａ´の断面図
【図７】本考案の注射針のその他の実施例の断面図
【図８】図７の注射針の（ａ）非使用時、（ｂ）薬液吸引時、（ｃ）薬液注入時における部分断面図
【図９】図７のＡ−Ａ´の断面図
【符号の説明】
【００２０】
１、５１  注射針
２、５２  針管
３、５３  針基
３Ａ、５３Ａ  内周壁面
４、５４  シリンジ
５、５５  ノズル
６  第一ボール支持部
７  ボール
８  第二ボール支持部
９、５９  フィルタ
１０、６０  仕切り板
１１、１２  孔
１３、６３  注入流路
１４、６４  吸引流路
１７、６７  支持体
５６  後方弾性体
５６Ａ  前方弾性体
５７  後方支持部
５８  前方支持部
６１  中央支持部
６５、６６  隙間
【図７】
0003118219.tif 000003
【図９】
0003118219.tif 000004
【図１】
0003118219.tif 000005
【図２】
0003118219.tif 000006
【図３】
0003118219.tif 000007
【図４】
0003118219.tif 000008
【図５】
0003118219.tif 000009
【図６】
0003118219.tif 000010
【図８】
0003118219.tif 000011